(57)【要約】      （修正有）【課題】様々な検査ストリップのフォームファクタに適応する、平均故障間隔の向上した検体測定デバイスを提供する。【解決手段】検体測定デバイス２００は、レセプタクル２０６を有する筐体、筐体内の回路、第１および第２の取外し可能なストリップポートモジュール２５０を備える。各ストリップポートモジュールはハウジングおよび端子を備え、その端子およびハウジングの一部は筐体のレセプタクルに適合する大きさである。各ストリップポートモジュールは、異なるフォームファクタを有する検体検査ストリップ１５０を受容するためのポート２５２を含む。筐体は、レセプタクル内に配置された各ストリップポートモジュールのハウジングから筐体内の専用回路を分離する端子結合部分を含む。【選択図】図１０
2014002158.tif 000002
【特許請求の範囲】
【請求項１】
検体測定デバイスであって、
レセプタクルを有する筐体と、
筐体内に配置された専用回路であって、検体測定を実施するように適合された専用回路と、
ハウジングおよびそのハウジングの第１の端部から突出する端子を備える第１の取外し可能なストリップポートモジュールであって、端子と第１の取外し可能なストリップポートモジュールハウジングの一部とは筐体のレセプタクル内に適合する大きさであり、第１の取外し可能なストリップポートモジュールは、第１のフォームファクタを有する第１の検体検査ストリップを受容するための第１の検体検査ストリップポートを含む、第１の取外し可能なストリップポートモジュールと、
ハウジングおよびそのハウジングの第１の端部から突出する端子を備える第２の取外し可能なストリップポートモジュールであって、端子と第２の取外し可能なストリップポートモジュールハウジングの一部とはレセプタクル内に適合する大きさであり、第２の取外し可能なストリップポートモジュールは、第１のフォームファクタとは異なる第２のフォームファクタを有する第２の検体検査ストリップを受容するための第２の検体検査ストリップポートを含む、第２の取外し可能なストリップポートモジュールと
を備え、
第１の取外し可能なストリップポートのハウジングまたは第２の取外し可能なストリップポートのハウジングはレセプタクル内に配置され、
筐体は、レセプタクル内に配置された第１の取外し可能なストリップポートモジュールハウジングまたは第２の取外し可能なストリップポートモジュールハウジングから筐体内の専用回路を分離する端子結合部分を含む、
デバイス。
【請求項２】
筐体が、端子結合部分の周囲にモールドされるプラスチックを備える、請求項１に記載のデバイス。
【請求項３】
筐体が射出成型されたものである、請求項１に記載のデバイス。
【請求項４】
端子結合部分がピン端子を備える、請求項１に記載のデバイス。
【請求項５】
端子結合部分がスプリングアームを備える、請求項１に記載のデバイス。
【請求項６】
端子結合部分がクリップを備える、請求項１に記載のデバイス。
【請求項７】
端子結合部分が、レセプタクル内に配置された取外し可能なストリップポートモジュールハウジングの第１の端部から突出する端子を取り囲むことにより、汚染物質に対して実質的に不浸透性であるバリアを形成する、請求項１に記載のデバイス。
【請求項８】
バリアが、実質的に耐水性、耐塵性、かつ耐水洗性である、請求項７に記載のデバイス。
【請求項９】
第１の取外し可能なストリップポートモジュールハウジングの第１の端部から突出する端子および第２の取外し可能なストリップポートモジュールハウジングの第１の端部から突出する端子が、金めっきされた高強度の鉄鋼を含む、請求項１に記載のデバイス。
【請求項１０】
第１の取外し可能なストリップポートモジュールがレセプタクル内に受容された時、レセプタクルの２つの面が、第１の取外し可能なストリップポートモジュールの対応する２つの面に隣接し、第２の取外し可能なストリップポートモジュールがレセプタクル内に受容された時、レセプタクルの２つの面が、第２の取外し可能なストリップポートモジュールの対応する２つの面に隣接する、請求項１に記載のデバイス。
【請求項１１】
第１の取外し可能なストリップポートモジュールまたは第２の取外し可能なストリップポートモジュールの全体が筐体のレセプタクル内に配置される、請求項１に記載のデバイス。
【請求項１２】
筐体はレセプタクルを画定する外縁の外表面を備え、
第１のストリップポートモジュールおよび第２のストリップポートモジュールはそれぞれ外側端面を有する外側部を備えるとともに検体検査ストリップを受容するように構成され、
第１のストリップポートモジュールがレセプタクル内に配置された時、レセプタクルを画定する外縁の外表面は第１のストリップポートモジュールの外側部の外側端面と同一平面となり、
第２のストリップポートモジュールがレセプタクル内に配置された時、レセプタクルを画定する外縁の外表面は第２のストリップポートモジュールの外側部の外側端面と同一平面となる、請求項１に記載のデバイス。
【発明の詳細な説明】
【技術分野】
【０００１】
関連出願の相互参照
本出願は、２００８年７月１７日に出願された米国特許出願第１２／１７５，２７９号の優先権を主張するものであり、その内容は参照により本明細書に組み込まれる。
【０００２】
本発明の実施形態は、測定デバイス内のストリップコネクタに関する。より詳細には、本発明の実施形態は、液体または他の汚染物質に対して実質的に不浸透性の、あるいは測定デバイスとともに使用するための交換可能または廃棄可能なストリップコネクタに関する。
【背景技術】
【０００３】
糖尿病は、多くの人々を悩ます疾患である。糖尿病管理において使用されるツールのうちの１つは、血液のサンプルから人の血糖値を測定することを主な目的とする測定デバイスである。測定デバイスを使用するプロセスは、非常に複雑というわけではないが、そのプロセスは、しばしば、一日に何度も行われる。
【０００４】
測定デバイスのポートに検査ストリップを挿入した後、ユーザは、血液の少量のサンプルを得るために、自分自身の指を穿刺することがある。次いで、血液サンプルを検査ストリップ上に置き、その血液サンプルを測定デバイスが分析する。測定デバイスは、典型的には、分析に基づく血糖値を表示する。
【０００５】
正確な測定が確実に行われるためには、測定デバイスを汚染物質がない状態に保つことが必要である。たとえば、ポートが血液で汚染される場合がある。このようなことが生じた場合、測定デバイスの性能は悪くなり、もはや、ユーザに正確な結果を保証することはできない。その結果、ユーザは、新しい測定デバイスを購入しなければならない可能性がある。不正確な結果および新しいデバイスを購入する必要性のために、ユーザに迷惑をかける可能性がある。
【発明の概要】
【０００６】
本発明の実施形態は、測定デバイス上の、または測定デバイスとともに使用するためのストリップコネクタに関する。本発明の実施形態は、耐腐食性、耐水洗性、液体浸入に対する不浸透性、耐塵性、導電性、および／または交換可能であるストリップポートを含む。一実施形態では、測定デバイスは、第１の端部を有する筐体を含む。筐体の第１の端部またはその他の部分に、ストリップコネクタを設けてもよい。ストリップポートは、第１の端部から外に延在する端子を含む。筐体と端子との間の結合部分が、液体に対して実質的に不浸透性のバリアを形成するように、筐体は形成されていてもよい。結合部分により、ストリップコネクタおよび端子を清掃できるようになり、端子を汚染物質がない状態に保てるようになる。これにより、ストリップコネクタを清掃することができるので、デバイスの平均故障間隔（ＭＴＢＦ）を延長する。
【０００７】
ある特定の実施形態では、ポートは、交換可能であるように構成される。この例では、デバイスは、ポートを受容するためのレセプタクルを含む。ポートは、第１の電気的接続部分を有する第１の部分を含んでもよい。第１の電気的接続部分は、典型的には、デバイスと接続するように構成される。デバイスの第１の部分は、第２の電気的接続部分も含む。
【０００８】
また、ポートは、第２の部分も含んでもよい。第３の電気的接続部分は、第２の電気的接続部分と、着脱可能かつ電気的に接続するように構成されてもよい。これにより、第２の部分が、汚染された場合、またはその他の理由がある場合には、第１の部分から取り外して交換できるようになる。第２の部分はまた、検査ストリップを受容するように構成されたストリップポートを含む。その結果、ポートは、測定デバイスと検査ストリップとの間に電気的接続および物理的接続を提供する。
【０００９】
廃棄可能なポートまたは廃棄可能な部分を有するポートによっても、デバイスのＭＴＢＦが増加する。さらに、廃棄可能なポートにより、様々な検査ストリップのフォームファクタに適応するように第２の部分を選択できるようになる。
【００１０】
本発明のこれらおよびその他の利点および特徴は、以下の説明および添付の特許請求の範囲からより完全に明らかになり、あるいは、以下に記載される本発明の実施によって理解され得る。
【００１１】
本発明の利点および特徴をさらに明らかにするために、添付の図面に示される本発明の特定の実施形態を参照して、本発明をより具体的に説明する。これらの図面は単に、本発明の典型的な実施形態を示すものであり、したがって、その範囲を限定するものとして考えられるべきではないことが理解されよう。本発明は、添付の図面を使用することにより、追加の特性および詳細とともに記載および説明される。
【図面の簡単な説明】
【００１２】
【図１】ストリップ結合部分を清掃可能にするストリップコネクタを含む測定デバイスの図である。
【図２】ストリップコネクタを有する測定デバイスの斜視図である。
【図３】ストリップコネクタ中に含まれる端子の一実施形態を示す。
【図４】ストリップコネクタ中に含まれる端子の別の実施形態を示す。
【図５】ストリップコネクタ中に含まれる端子の別の実施形態を示す。
【図６】スプリングアームコネクタが検査ストリップと接続された状態のデバイスを示す。
【図７】検査ストリップと電気的に接続された端子を有するデバイスの上面図である。
【図８】検査ストリップ上の対応するソケットと結合するピン端子を有するデバイスの別の実施形態を示す。
【図９】ストリップコネクタ中のピン端子の上面図を示す。
【図１０】廃棄可能なストリップポートを使用するデバイスの斜視図である。
【図１１】廃棄可能なポートを受容する電気的接続部分を含むデバイスの端部の側面図である。
【図１２】デバイスおよび検査ストリップと結合する廃棄可能なポートの上面図である。
【図１３】一方の部分が測定デバイスと結合し、他方の部分が検査ストリップと結合するように分離可能な部分を含む廃棄可能なポートの斜視図である。
【図１４】検査ストリップのための電気的接続部分を提供する廃棄可能なポートの一部分の一実施形態の斜視図である。
【図１５】検査ストリップ結合部分を含む廃棄可能なポートの端面図である。
【図１６】デバイスと検査ストリップとの間の、廃棄可能なポートを介しての電気的接続を示す図である。
【図１７Ａ】ストリップポートを測定デバイスに組み込むための別の構造を示す図である。
【図１７Ｂ】ストリップポートを測定デバイスに組み込むための別の構造を示す図である。
【発明を実施するための形態】
【００１３】
本発明の実施形態は、測定デバイス内の電気的接続部分に関する。測定デバイスは、しばしば、測定デバイスを電気的に別のデバイスまたは装置と接続し、検体の分析を実行できるようにする電気的接続部分を有する。たとえば、血糖値を測定するデバイスは、デバイスが少量の血液サンプルから血糖値を測定できるようにする電気的接続部分を含む。
【００１４】
本発明の実施形態は、測定デバイスの平均故障間隔（ＭＴＢＦ）を改善できるシステムおよび方法に関する。これは、耐用年数がより長いデバイスをユーザに提供するという利益を有し、さらにそのデバイスによって実行される測定または分析が、長期間にわたってより正確であることを保証する。
【００１５】
より詳細には、本発明の実施形態は、清掃および／または交換できるストリップコネクタまたはストリップポートに関する。ストリップポートを清掃または交換できることにより、しばしばポート汚染に関連した問題にデバイスが曝されないようにすることができる。たとえば、血液およびその他の汚染物質は、しばしばポートを汚染し、デバイスを使用不可能にし、あるいは、不正確な分析をもたらす可能性がある。したがって、デバイスの動作に影響を及ぼすことなく清掃または交換できるポートにより、ＭＴＢＦが向上する。
【００１６】
したがって、一実施形態は、液体または他の汚染物質の浸入を防止するインサート成型されたストリップコネクタ構成に関する。成型されたストリップコネクタは、耐腐食性、耐水洗性、耐水性、耐塵性、および高度に導電性とすることができる。別の実施形態では、ポートまたはポートの少なくとも一部分が、廃棄可能である。廃棄可能なポートにより、適切なポート交換品を選択することによって、デバイスを様々な検査ストリップのフォームファクタに適応させることができるようになり、また、ポートが汚染されたときでも、汚染されたポートを単に交換することによってデバイスが機能し続けることができるようになる。
【００１７】
図１は、検体を分析するために使用される測定デバイスの、一実施形態の上面図である。測定デバイス１００は、典型的には、ディスプレイ１０２と、ユーザインターフェース１０４とを含む。ディスプレイ１０２を使用して、血液サンプル中の血糖値の測定に関係する説明または結果をユーザに提供することができる。ユーザインターフェース１０４により、ユーザは、分析を開始する、デバイスをオン／オフする、などを含む様々な機能を実行できるようになる。
【００１８】
図１および図２は、ストリップコネクタ１１０の一例も示す。この例では、ストリップコネクタ１１０は、複数の端子１１２を含む。端子１１２は、適切に構成された検査ストリップまたは検査ストリップモジュールへの物理的および／または電気的接続部分を提供する。この例では、端子１１２の周囲にデバイス１００の筐体１０８をモールドすることができる。端子の周囲にデバイス１１０の筐体１０８をモールドすることによって、筐体１０８と端子１１２との間の結合部分は液体汚染物質（たとえば、水、血液など）を含む汚染物質に対して不浸透性になる。その結果、筐体１０８と端子１１２との間の結合部分は、耐水性または少なくとも十分に耐水性となって、デバイス１００または少なくともストリップコネクタ１１０は洗浄できるようになる。デバイス１００または少なくともストリップコネクタ１１０を洗浄できることより、デバイス１００が、実質的にまたは完全に耐腐食性、水洗い可能、耐水性、および耐塵性になる。デバイス１００に影響を及ぼすことなく、汚染物質をデバイスから取り除くこと、または清掃することができる。
【００１９】
端子１１２は、通常、導電性であり、端子１１２の導電率を改善するために金めっきとしてもよい。端子１１２はまた、デバイス１００の筐体１０８から露出して突き出している端子を保護するために、高強度の鉄鋼で形成してもよい。他の実施形態では、端子は、含浸ポリマー、ベリリウム銅、リン青銅、チタン、ニッケルめっき、スズめっき、またはそれらの任意の組合せで形成されてもよい。別の実施形態では、端子は、必要に応じて適切な導電率を提供する任意の材料とすることができる。
【００２０】
端子１１２は、複数の異なる構成で配置することができる。端子は、表面１２０上に１つまたは複数の行および／または列で配置することができる。端子１１２は、デバイス１００の内側にプリント基板（または他のコネクタ）の異なる側と接続するように配置することができる。さらに、端子１１２は、検査ストリップと接続し、デバイス１００と検査ストリップとの間に電気的接続および／または機械的接続を提供するように、屈曲または成形することができる。本明細書でより十分に論じられるように、デバイス１００は、デバイスが異なるフォームファクタの検査ストリップと結合することを可能にする様々なタイプの端子を用いて構成することができる。さらに、その他の構造は、機械的構造を提供して検査ストリップを固定するために、表面１２０から外に延在することができる。
【００２１】
図３に、ストリップポート１１０を含むデバイス１００の側面図を示す。この例では、ストリップポート１１０は、表面１２０を通ってデバイス１００から外に延在し、表面１２０と端子１１２との間の結合部分は、液体またはその他の汚染物質の浸入を防止するために封止または実質的に封止される。端子１１２は、典型的には、デバイス１００の表面１２０を通過し、プリント基板１０６へのコネクタ１１４を含む。コネクタ１１４は、プリント基板１０６と端子１１２との間に導電性経路を形成するボンドワイヤまたはその他の接続であってもよい。端子１１２は、本実施形態では、ピン型端子である。
【００２２】
図４および図５に、端子１１２のさらなる実施形態を示す。図４はクリップピン１１４を示すが、図５に示される端子は、スプリングアーム１１６である。それぞれの種類の端子１１２は、様々な方法で、対応する検査ストリップとの物理的および／または電気的接触を可能にし、異なるフォームファクタに適応し得る。それぞれの例では、端子１１２は、デバイス１００の表面１２０を通過し、デバイスの内側でプリント基板またはその他の回路と電気的に接続する。表面１２０は、端子１１２を清掃または洗浄できるようにするバリアを提供するために、端子１１２の周囲に形成されている。
【００２３】
図６は、検査ストリップ１５０と接続されるデバイス１００の側面図である。この例では、デバイス１００は、表面１２０から外に延在するスプリングアーム１１６を含む。ストリップ１５０がスプリングアーム１１６へ挿入されると、スプリングアーム１１６が離れて検査ストリップ１５０へ向かう力を及ぼし得ることにより、検査ストリップを物理的に所定の位置に保持し、スプリングアーム１１６と検査ストリップ１５０との間に電気的接続を提供する。図６において、この例では、デバイス１００の内側にあるスプリングアーム１１６の部分１１８がプリント基板１０６と両側で接続するが、電気的接続を確立するためにそれぞれのスプリングアーム１１６または端子の各部分を一般に用いることを要件とするものではない。
【００２４】
スプリングアーム１１６（またはその他の端子）の外側部分を露出させつつ、デバイス１００の内側でスプリングアーム１１６（またはその他の端子）の部分１１８を取り囲む表面１２０を形成するために、デバイス１００の筐体１０８が射出成型などによって形成されている。その結果、スプリングアーム１１６と表面１２０との間の結合部分が封止または実質的に封止されて、血液またはその他の汚染物質などの液体がデバイス１００に浸入してデバイス１００の動作または機能に干渉することを防ぐ。この結合の結果として、スプリングアーム１１６またはその他の端子は、汚染が生じる場合には、またはその他の理由がある場合には、デバイス１００の動作と干渉せずに洗浄または清掃することができる。
【００２５】
図７は、図６に示されたデバイス１００の上面図である。この例では、スプリングアーム１１６は、表面１２０から外に延在し、検査ストリップ１５０に接続される。血液サンプル１５６を検査ストリップに装着し、端子１５６および１５８がスプリングアーム１１６と接触する。この例では、端子１５８は検査ストリップ１５０の一方の側にあり、一方、端子１５６が検査ストリップ１５０の反対側にある。図７に示されたスプリングアーム構成では、検査ストリップ１５０の端子１５８および１５６を、検査ストリップのいずれの側にもすることができる。いくつかの例では、スプリングアーム１１６のうちいくつかは、検査ストリップ１５０と電気的に接触していなくてもよい。
【００２６】
図８は、成型されたストリップコネクタの別の実施形態の斜視図である。この例では、デバイス１００は、デバイス１００の表面１２０を通過するピン端子１１２を含む。デバイス１００の筐体１０８の内側に包み込まれた、または取り囲まれたピン端子１１２のうち少なくともいくつかは、プリント基板１０６に電気的に接続される。端子ピン１１２は、行および列のように、様々な構成で配置することができるので、プリント基板１０６の両側にピン端子１１２を接続することができる。
【００２７】
図８に示された検査ストリップ１６０は、少なくとも電気的接続を確立するためにピン端子１１２と協働するように成形および構成されるソケット１６２を含むが、検査ストリップ１６０とデバイス１００との間の接続に物理安定性を提供することもできる。ソケット１６２は、ストリップ１６０にソケット１６２の電気的接続をルーティングする接続モジュール１６４中に取り付けられ、それにより、デバイス１００は、その上に置かれた任意の検体を分析することができる。
【００２８】
図９は、検査ストリップポートを有するデバイスの上面図である。図９は、端子１１２をソケット１６２に挿入して、デバイス１００と検査ストリップ１６０との間の接続を形成することができることを示す。サンプルをスペース１６６に装着し、ピン端子／ソケット接続を介してデバイス１００と検査ストリップ１６０との間の接続が確立されると、サンプルを分析することができる。
【００２９】
本発明の別の実施形態は、廃棄可能なストリップポートに関する。廃棄可能なストリップポートにより、現在のポートまたはその一部分が故障した場合、または汚染された場合、ポートまたはその一部分を、例示の目的であって限定ではないが、別のポートまたはその一部分と交換することが可能になる。図１０は、測定デバイス２００の斜視図である。デバイス２００は、図１に示されたディスプレイおよびユーザ結合部分と同様のディスプレイ２０２およびユーザ結合部分を含む。ディスプレイ２０２を使用して、血液サンプルのような検体の分析に関する結果（血糖値等）を含む情報を伝達することができる。
【００３０】
デバイス２００は、デバイス２００中に形成されたレセプタクル２０６にはめ込まれるポート２０８を含む。レセプタクル２０６は、廃棄可能または交換可能なポート２５０を受容するように構成することができる。図１０に示すように、廃棄可能なポート２５０は、レセプタクル２０６に挿入することができ、ポート２０８を介してデバイス２００と物理的かつ電気的に接続することができる。廃棄可能なポート２５０は、検査ストリップ１５０を受容するように構成されるストリップポート２５２を含む。ポート２５０がレセプタクル２０６に挿入されると、ポート２５２を有する表面は、表面２１４としばしば同一平面となるが、デバイス２００に対するポート２５０の位置については、その他の構成が可能である。
【００３１】
図１１は、デバイス２００の端部の図である。図１１は、ポート２０８およびプリント基板２１２（またはその他の好適な結合部分）がレセプタクル２０６の端部に設けられることを示す。プリント基板２１２は、プリント基板２１２のどちら側にもトレース２１６またはその他の端子を有してもよい。
【００３２】
図１２は、デバイス２００、ポート２５０および検査ストリップ１５０の上面図である。この例では、ポート２０８は、プリント基板２１２の端子２１６にアクセスを提供する。ポート２５０はまた、トレース２１６と接続するように構成される対応する端子２５４を含む。端子２５４は、スプリングアーム、ピンなど、またはそれらの任意の組合せとすることができる。さらに、ポート２０８は、汚染物質に対して実質的に不浸透性である結合部分を提供するために、前述したようにインサート成型されてもよい。この場合、ポート２５０の構成に従って、デバイス２００を異なるフォームファクタに適応させるために、またはその他の機能を提供できるようにするために、ポートを変更可能としてもよい。
【００３３】
この例では、ポート２５０はまた、端子２５４の反対側に設けられたストリップレセプタクル２６０（ストリップポート２５２の一例）またはストリップポートを有するが、レセプタクルはポート２５０の任意の側面に移すことができる。検査ストリップ１５０をレセプタクル２６０に挿入してもよく、ポート２５０がポート２０８に接続されると、検査ストリップ１５０のサンプルを分析し得る。
【００３４】
この例におけるポート２５０は、第１の部分２５６と、第２の部分２５８とを含んでもよい。部分２５６および部分２５８は、１つの統合されたポートとすることができ、あるいは、繰り返し分離したり接続したりすることができる部分を含んでもよい。前述のように、部分２５８を別様に構成された部分と交換して、異なる検査ストリップのフォームファクタに適応するレセプタクル２６０を提供することができる。
【００３５】
部分２５６は、ポート２０８を介してデバイス２００と結合するように構成されてもよい。部分２５６はまた、対応するコネクタ２６４と相互作用して、少なくとも部分２５６をデバイス２００と物理的に接続する保持タブ２６２を含んでもよい。一例では、部分２５８を廃棄可能としながら、部分２５６は、デバイス２００と永久的に接続してもよい。有利にも、ユーザは、検査ストリップの異なる構成に適応させるために別様に構成された部分２５８を選択することができる。これにより、ユーザがポート２５０またはその一部分を交換するだけでなく、異なるフォームファクタの検査ストリップを利用できるようにしてもよい。
【００３６】
図１３は、廃棄可能なポート２５０の一実施形態の斜視図である。この例では、ポート２５０は、検査ストリップと結合するように構成される部分２５６と、測定デバイス２００と結合するように構成される部分２５８とを含む。部分２５６は、先に開示されたようなプリント基板上のトレースと接続するように構成されるスプリングアーム２５４を含む。代替的には、部分２５８は、必要な接続を確立するためにデバイス２００のポート２０８上の対応する構造と結合するピン端子、またはその他の端子を含んでもよい。
【００３７】
部分２５６は、この例では、ポート２５０が、永久または半永久的な様式でデバイス２００と接続できるようにする保持タブ２６２を含む。デバイス２００に接続されると、タブ２６２は、部分２５６を所定の位置に保ちながら、部分２５８を部分２５６から分離し、新しい部分と交換する、あるいは、単に清掃することができる。前述のように、部分２５８は、異なる検査ストリップのフォームファクタとの接続を可能にするために、複数の構成を有することができる。
【００３８】
本実施形態では、ポート２５０は、ポート２５０をデバイス２００上に容易に挿入できるようにするために、デバイス２００上の対応するレール構造と相互作用するガイド部材２６４を含む。ガイド部材２６４およびレール構造の協働により、挿入中にポート２５０を確実にポート２０８と適切に位置合わせし、ポート２５０の挿入および／または取外しの両方の間の端子への損傷を防止することができる。これにより、スプリングアーム２６４への損傷を防止することができ、確実に、ポートとデバイスを適切に接続させる。
【００３９】
図１４は、部分２５８の一実施形態の斜視図である。部分２５８は、部分２５６内の対応する構造と接続するために使用されるピン２６６を含む。ピン２６６は、部分２５６と部分２５８との間の接続を保持するために、対応する構造との摩擦嵌合を提供してもよい。
【００４０】
図１５は、部分２５８の試験ポートつまりレセプタクル２６０の図である。この例では、部分２５８は、検査ストリップを受容するように構成されるレセプタクル２６０を含む。端子２７０は、ポートの内側に設けられ、ストリップ上の血液サンプルの分析を可能にするために検査ストリップと少なくとも電気的に接触するように配置される。
【００４１】
図１６は、廃棄可能なポート２５０が接続された状態のデバイス２００の側面図である。図１６は、スプリングアーム２６４を部分２５６の内側に示す。デバイス側では、スプリングアームがポート２５０から外に延在し、デバイス２００の内側のプリント基板２１２と接続する。スプリングアーム２６４の対向する端部は、ソケット２７２を形成する。ソケット２７２は、部分２５８から外に延在するピン２６６を受容し、それと電気的に接続するように構成される。ピン２６６はまた、部分２５８の内側に（この例ではスプリングアームとして示されている）端子２７０を含み、これらの端子２７０は、検査ストリップ１５０がレセプタクルつまりポート２６０に挿入されると、検査ストリップと電気的に接続するように構成される。
【００４２】
上述のように、部分２５８は、複数のストリップのフォームファクタに適応するように構成することができる。その結果、部分２５８は、ピン、プラグ、ソケット、クリップなど、またはそれらの任意の組合せとして構成される端子２７０も含んでもよい。部分２５６と部分２５８との間の結合部分により、故障し始める、または汚染されたときはいつでも、あるいは、任意のその他の理由がある場合には、少なくとも部分２５６を交換可能にすることができるようになる。さらに、デバイス２００、部分２５６、部分２５８および検査ストリップ１５０の間の電気的接続はピン端子、クリップピン、スプリングアームなど、またはそれらの任意の組合せを含むがそれらに限定されない様々な形態を取ることができる。この例では、部分２５６および部分２５８について示された端子またはピンが協働して、電気的接続を確立する。
【００４３】
図１７Ａ〜図１７Ｂは、ポート２５０とデバイス２００との間の接続または組み込みの例を示す。図１７Ａは、ポートとデバイスとの間の接続が、デバイス２００に部分２５８を固定するためにレセプタクル２８０と結合するラッチ２８２を含んでもよいことを示す。レセプタクル２８０およびラッチ２８２は協働して、接続を提供する。また、デバイス２００に、レセプタクル２８０からラッチ２８２を解除するリリース２８４を含んでもよい。その結果、図１７Ａに示された接続は、永久または半永久的とすることができる。
【００４４】
図１７Ｂは、デバイス２００とポート２５０との間の別の結合または接続を示す。この例では、デバイスは、ソケット２８６を含んでもよく、このソケット２８６は、ポート２５０に接続されたボール２８８を受容するように適合された開口を有する。ボール２８８は、ソケット２８６にスナップ係合されるとき、ボール２８８をソケット２８６に入れることができるようにするためにソケット２８６を拡張する。一旦ボールが挿入されると、ソケットは接続を確立するために収縮する。その結果、ボール２８８をソケットに挿入するために、力が必要となる。図１７Ｂに示された接続を解除するために、同様の力が必要であってもよい。これらの例では、接続は半永久的であってもよく、電気的接続が確実に維持される。
【００４５】
他の実施形態では、ポート２５０とデバイス２００との間（または端子ピン２６６とソケット２７２との間）の接続としては、プレス嵌合または摩擦嵌合を含んでもよい。たとえば、ポート２５０を、レセプタクル２０６よりもわずかに広くしてもよい。ポート２５０がレセプタクル２０６に挿入されると、デバイス２００とポート２５０との間の摩擦により、ポートが適切な位置に維持される。
【００４６】
他の実施形態では、電気的接続は、機械的接続をも提供することができる。たとえば、ピン２６６とソケット２７２との間の摩擦嵌合により、部分２５６と部分２５８が接続した状態を保つために十分な力を提供してもよい。しかしながら、ユーザは、部分２５６を取り外し、それを交換することができる。
【００４７】
いくつかの実施形態は、生体内（たとえば、連続監視）システムに関する。連続監視システムは、典型的には、皮膚の下に装着または配置されるセンサと、センサからグルコース情報を収集する送信器と、送信器から情報を収集する受信器とを含む。センサは、連続的に、周期的に、または、その他の間隔で、グルコース値情報を収集することができる。一旦センサを挿入すると、有利にも、ユーザは、血液サンプルを収集するために自分自身の体を繰り返し穿刺しなければならないことから解放されるが、それでもセンサ（たとえば、人体に挿入される電気化学的センサ）を交換できる。その全体が参照により本明細書に組み込まれる米国特許第６，１７５，７５２号に、連続監視システムのさらなる例が開示されている。
【００４８】
本発明の実施形態は、交換可能であってもよい連続監視システムの構成要素に関する。一実施形態では、センサと送信器との間のｉは、汚染されることがある。送信器またはセンサ制御ユニットは、たとえば、送信器の端子と送信器の内部の回路との間にバリアを形成するためにモールドされたセンサを伴う結合部分を有してもよい。これにより、送信器の回路に損傷を与えることなく、送信器の端子を洗浄できるようになる。代替的には、必要に応じて交換することができる交換可能なポートに、これらの端子を含んでもよい。同様に、センサ上の結合部分は、汚染物質に対するバリアを形成するようにモールドしてもよく、または、交換可能であってもよい。
【００４９】
これらの例では、ストリップコネクタまたはポートは、連続監視システムとともに使用することができる。本明細書で論じるように、センサ制御ユニットまたは送信器は、典型的には、センサと結合するポートを有する。ＭＴＢＦを延長するように端子を清掃することができるように、このポートをモールドすることができる。代替的には、ポートは、交換可能かつ／または水洗い可能とすることができる。交換可能なポートにより、連続システムを異なるセンサフォームファクタに適応させることができるようになる。
【００５０】
本発明の実施形態はさらに、キットに及ぶ。キットの例として、１つまたは複数のストリップコネクタを有する測定デバイスが挙げられる。いくつかのキットでは、様々なタイプのストリップのための様々なストリップコネクタまたはポートを含んでもよい。これにより、異なるストリップのフォームファクタとともに測定デバイスを使用できるようになる。キットはまた、複数の検査ストリップを含んでもよい。ある特定の例では、測定デバイスは、廃棄可能な検査ストリップとともに使用するため、ならびに、連続監視システムのために構成された検査ストリップとともに使用するために構成されてもよい。したがって、測定デバイスは、挿入されたセンサからグルコース情報を収集する送信器から情報を受信する受信器を含んでもよい。測定デバイスはまた、本明細書で開示したように、使い捨て検査ストリップとともに使用するためのストリップコネクタを含んでもよい。
【００５１】
本発明は、その趣旨または主要な特徴から逸脱することなく、その他の具体的な形態で実施されてもよい。説明された実施形態は、あらゆる点で、単に例示的であり、限定的ではないとみなされるべきである。したがって、上述の説明ではなく、添付の特許請求の範囲によって、本発明の範囲が示される。特許請求の範囲の等価の意味および範囲内のすべての変更は、それらの範囲に包含されるものである。
【図１】
2014002158.tif 000003
【図２】
2014002158.tif 000004
【図３】
2014002158.tif 000005
【図４】
2014002158.tif 000006
【図５】
2014002158.tif 000007
【図６】
2014002158.tif 000008
【図７】
2014002158.tif 000009
【図８】
2014002158.tif 000010
【図９】
2014002158.tif 000011
【図１０】
2014002158.tif 000012
【図１１】
2014002158.tif 000013
【図１２】
2014002158.tif 000014
【図１３】
2014002158.tif 000015
【図１４】
2014002158.tif 000016
【図１５】
2014002158.tif 000017
【図１６】
2014002158.tif 000018
【図１７Ａ】
2014002158.tif 000019
【図１７Ｂ】
2014002158.tif 000020